(57)【要約】【課題】  デジタルカメラ等の電子機器に充電するクレイドルに、充電以外の機能、例えば、充電中の機器の背面からライトアップしたり、ライトアップの状態変化で充電状態を表す等して機能を高めたクレイドルを提供する。【解決手段】  クレイドルは、電子機器を載置して、充電する機能を備えたクレイドルであって、前記電子機器を載置する充電載置部の背面側に載置した電子機器を照らす照明手段を備えたことである。【選択図】  図１
2005151710.tif 000002
【特許請求の範囲】
【請求項１】
電子機器を載置して、充電する機能を備えたクレイドルであって、
前記電子機器を載置する充電載置部の背面側に載置した電子機器を照らす照明手段を備えたことを特徴とするクレイドル。
【請求項２】
前記照明手段による照明は、前記電子機器の充電状態によって変化するようにしたことを特徴とする請求項１に記載のクレイドル。
【請求項３】
前記照明手段は、クレイドル内部に設けた発光部からの光を導光する導光管で形成されていることを特徴とする請求項１に記載のクレイドル。
【請求項４】
前記充電載置部には、前記電子機器を囲むように透明又は半透明の囲い部材を設けたことを特徴とする請求項１に記載のクレイドル。
【請求項５】
前記電子機器はデジタルカメラであることを特徴とする請求項１に記載のクレイドル。
【請求項６】
電子機器を載置して充電する機能を備えたクレイドルが複数個棚に並べた状態で形成したラック型のクレイドルであって、
前記電子機器を載置するクレイドルのそれぞれの背面側に、該載置した電子機器の背面側をライトアップする照明手段を備えたことを特徴とするクレイドル。
【請求項７】
前記照明手段は、面状に発光する面発光素子で形成したことを特徴とする請求項６に記載のクレイドル。
【請求項８】
前記複数個のクレイドルのうち、少なくとも１つは前方方向に出し入れできるトレー状に形成したことを特徴とする請求項６に記載のクレイドル。
【請求項９】
前記複数個のクレイドルに載置して充電する電子機器には、少なくとも、カメラが含まれることを特徴とする請求項６に記載のクレイドル。
【発明の詳細な説明】
【技術分野】
【０００１】
本発明は、クレイドルに関するものであり、詳しくはデジタルスチルカメラやビデオカメラにおいて、従来のクレイドルの機能に加えて、照明装置を配置することでカメラ本体をライトアップして鑑賞するための機能を追加すると同時にスタンドの役割を果たすようにし、更にそのライトの色や明るさを変化させて、カメラ本体のモードや充電状態を一目で解かるようにするクレイドルに関する。
【背景技術】
【０００２】
従来技術における、クレイドルは、デジタルカメラやビデオカメラを充電するために用いられ、その充電状態を様々な形で表すものが周知である。
【０００３】
例えば、液晶画面を有する電子カメラである場合に、その電子カメラをクレイドルに載せて充電するときに、電子カメラの液晶画面とクレイドルの表示画面とに同じ模様を表示するようにして充電状態であることを認識させるものが存在する。
【特許文献１】特開２００３−２０４４６１号公報（第３頁  第１図）
【発明の開示】
【発明が解決しようとする課題】
【０００４】
しかしながら、従来技術で説明したクレイドルは、充電していることを認識させるのみで、その充電がどのくらいの時間で完了するか等の機能が備わっておらず、充電する機器側の機能に任せているというものが多く、クレイドル自身で機能するものは充電のみというものが多い。
従って、クレイドル自体に着目して、その充電以外にもできる機能をクレイドル側に持たせることで、機器自体の機能を充実させ且つクレイドルとしての機能も充実させる。
具体的には視認性のアップ、インテリア性のアップ、汎用性を備えること、充電以外の機能としてクレイドルごと回転・チルトさせたり、スタンドとして機能させ、或いはＡＣアダプタを内蔵型にしてインテリア性を向上させる等の様々な機能を備えたクレイドルに解決しなければならない課題を有する。
【課題を解決するための手段】
【０００５】
上記課題を解決するために、本願発明のクレイドルは、次に示す構成にすることである。
【０００６】
（１）クレイドルは、電子機器を載置して、充電する機能を備えたクレイドルであって、前記電子機器を載置する充電載置部の背面側に載置した電子機器を照らす照明手段を備えたことである。
（２）前記照明手段による照明は、前記電子機器の充電状態によって変化するようにしたことを特徴とする（１）に記載のクレイドル。
（３）前記照明手段は、クレイドル内部に設けた発光部からの光を導光する導光管で形成されていることを特徴とする（１）に記載のクレイドル。
（４）前記充電載置部には、前記電子機器を囲むように透明又は半透明の囲い部材を設けたことを特徴とする（１）に記載のクレイドル。
（５）前記電子機器はデジタルカメラであることを特徴とする（１）に記載のクレイドル。
【０００７】
（６）クレイドルは、電子機器を載置して充電する機能を備えたクレイドルが複数個棚に並べた状態で形成したラック型のクレイドルであって、前記電子機器を載置するクレイドルのそれぞれの背面側に、該載置した電子機器の背面側をライトアップする照明手段を備えたことである。
（７）前記照明手段は、面状に発光する面発光素子で形成したことを特徴とする（６）に記載のクレイドル。
（８）前記複数個のクレイドルのうち、少なくとも１つは前方方向に出し入れできるトレー状に形成したことを特徴とする（６）に記載のクレイドル。
（９）前記複数個のクレイドルに載置して充電する電子機器には、少なくとも、カメラが含まれることを特徴とする（６）に記載のクレイドル。
【発明の効果】
【０００８】
以上のように、本発明によれば、クレイドルに載せた機器を照明させる照明手段を設けたり、その照明手段で充電状態を表すようにしたことで、充電する機器、例えば、カメラ本体をライトアップして鑑賞するための機能を追加すると同時にスタンドの役割を果たすことができる。更に、そのライトの色や明るさを変化させることにより、カメラ本体のモードや充電状態が一目でわかるようになる。
【発明を実施するための最良の形態】
【０００９】
次に、本願発明に係るクレイドルの実施形態について、図面を参照して、以下説明する。
【実施例１】
【００１０】
本願発明に係る第１の実施形態のクレイドルについて、図面を参照して説明する。
【００１１】
第１の実施形態のクレイドルは、充電機能、ＴＶ（テレビジョン受像機）・ＰＣ（パーソナルコンピュータ）等への接続機能、リモコン機能等、従来の機能が装備されたベース部分から、セットをガイドするための透明な部材を配置して、内部からＬＥＤの光を導くことで、その部材を光らせて、そこに装着された電子機器、実施例ではデジタルカメラ本体を照らし出すことができるというものである。
そして、デジタルカメラがクレイドルに装着されていない時には、間接照明としても使用できる。又、デジタルカメラが装着されている時には、デジタルカメラの状態を認知して本体内充電の状態やモードの状態をこの発光部の点灯・点滅及び色や明るさの加減により表示させる機能を備えている。
【００１２】
具体的な構造は、図１〜図４に示すように、充電機能に照明手段を備えた構造となっており、断面が略半円形状に形成した直方体形状に形成したベース部１１と、ベース部１１の上部位置であってデジタルカメラ１２の底辺が載置できる程度に陥没して形成されたセット載置部１３と、セット載置部１３内に設けた充電端子部１４と、やはりセット載置部１３内に設けたデジタルカメラ１２を充電位置にガイドするガイド部１５と、セット載置部１３の奥側に沿った状態で設けた照明手段である照明部１６とから大略構成されている。
セット載置部１３は、デジタルカメラ１２の底部の形状に合わせて略長方形に形成されている。
【００１３】
照明部１６は、特に図４に示すように、セット載置部１３の奥側位置にデジタルカメラ１２が背もたれするようにガイドも兼ねた透明部材で形成された平板形状の導光管１７を備え、この導光管１７の下部位置でベース部１１の内部において、導光管１７に光源を供給する発光部１８からなる。
【００１４】
このような構成からなるクレイドルにおいて、ベース部１１のセット載置部１３にデジタルカメラ１２を載せると自動的に充電端子部１４にデジタルカメラ１２の充電接点が電気的に接続して充電が開始できると共に背もたれとしての機能を図る導光管１７には、発光部１８から光源が供給されることで発光し、その光はデジタルカメラ１２の後ろの側壁面を照らすことで、デジタルカメラ１２自体が光の中に浮き上がった状態としての照明効果を得ることができる。
【００１５】
次に、本願発明に係るクレイドルの第２の実施形態について、図面を参照して、以下説明する。
【実施例２】
【００１６】
第２の実施形態のクレイドルは、上述した第１の実施形態のクレイドルと同じく、充電機能、ＴＶ（テレビジョン受像機）・ＰＣ（パーソナルコンピュータ）等への接続機能、リモコン機能等、従来の機能が装備されたベース部分から、セットをガイドするための透明な部材を配置して、内部からＬＥＤの光を導くことで、その部材を光らせて、そこに装着された電子機器、実施例ではデジタルカメラ本体を照らし出すことができるというものである。
そして、デジタルカメラ本体がクレイドルに装着されていない時には、間接照明としても使用できる。又、デジタルカメラ本体が装着されている時には、デジタルカメラ本体の状態を認知して本体内充電の状態やモードの状態をこの発光部の点灯・点滅及び色や明るさの加減により表示させる機能を備えている。
【００１７】
具体的な構造は、図５〜図７に示すように、充電機能に照明手段を備えた構造となっており、断面が略半円形状に形成した直方体形状に形成したベース部１１Ａと、ベース部１１Ａの上部位置であってデジタルカメラ１２Ａの底辺が載置できる程度に陥没して形成されたセット載置部１３Ａと、セット載置部１３Ａ内に設けた充電端子部１４Ａと、やはりセット載置部１３Ａ内に設けたデジタルカメラ１２Ａ自体を充電位置にガイドするガイド部１５Ａと、セット載置部１３Ａの奥側に沿った状態で設けた照明部１６Ａとから大略構成されている。
セット載置部１３Ａは、デジタルカメラ１２Ａの底部の形状に合わせた形状に形成され、特に図５に示すように、右側が四角形状に形成され、左側の外側が曲面形状に形成されている。
【００１８】
照明部１６Ａは、特に図７に示すように、セット載置部１３Ａの奥側位置にデジタルカメラ１２Ａが背もたれするようにガイドも兼ねた透明部材で形成された平板形状の導光管１７Ａを備え、この導光管１７Ａの下部位置でベース部１１Ａの内部において、導光管１７Ａに光源を供給する発光部１８Ａからなる。
【００１９】
このような構成からなるクレイドルにおいて、ベース部１１Ａのセット載置部１３Ａにデジタルカメラ１２Ａを載せると自動的に充電端子部１４Ａにデジタルカメラ１２Ａの充電接点が電気的に接続して充電が開始できると共に背もたれとしての機能を図る導光管１６Ａには、発光部１８Ａから光源が供給されることで発光し、その光はデジタルカメラ１２Ａの後ろの側壁面を照らすことで、デジタルカメラ１２Ａ自体が光の中に浮き上がった状態としての照明効果を得ることができる。
【００２０】
次に、本願発明に係るクレイドルの第３の実施形態について、図面を参照して、以下説明する。
【実施例３】
【００２１】
第３の実施形態のクレイドルは、充電機能、ＴＶ（テレビジョン受像機）・ＰＣ（パーソナルコンピュータ）等への接続機能、リモコン機能等、従来の機能が装備されたベース部分に、ライトアップ用のＬＥＤやＥＬ等の発光部を複数配置して本体をライトアップすることを可能にする。この際、発光部はその方向を調節できるような機構を装備することで、あらゆる形態のカメラも最適にライトアップできるようにしたものである。
又、鑑賞用としてカメラ本体に埃等がたまらないように、透明又は半透明の囲い部材である開閉カバーを装着する。この開閉カバーによって発光部の光を散乱させることで間接照明となり、スタンドの役割を兼ね備えることもできる。又、カバー部分をバイオネット接合にして取り外し可能とすることで、カバー部分のクリーニングが容易に行えるようにする。
又、カメラ本体の状態を認知して本体内充電の状態やモードの状態をクレイドルの発光部の点灯・点滅及び色や明るさの加減によって表示させることもできる。更に、本体の状態に関係なく、インテリアとして発光部の明るさや色の切り替え、ＯＮ／ＯＦＦもリモコン等で操作できるクレイドルにすることである。
【００２２】
具体的な構成は、図８、図９及び図１０に示すように、充電機能に加えてセットをライトアップする機能を備えたクレイドルであって、透明又は半透明であって球体形状に形成したベース部２１と、このベース部２１の下部位置に操作釦等を配置した台座２２とからなる。
ベース部２１には、その略中央位置にセット２３を載置するセット載置部２４を備え、その周囲に埃等が入らないように透明又は半透明の囲い部材で半球体形状のカバー２５を備え、このカバー２５にはセット２３を出し入れするための開閉カバー２６を備えた構成になっている。また、カバー２５及び開閉カバー２６はバイオネット接合により、ベース部２１から取り外すことができる構造となっている。
セット載置部２４には、セット２３を載置したときに充電するための充電端子部２７と、セット２３の充電をガイドするガイド部２８とを備え、セット載置部２４の周端に等間隔にライトアップ用の発光部２９からなる照明部３０を備えた構成になっている。
【００２３】
発光部２９は、図１１に示すように、発光方向が変えられるチルト調整機構を備えた構造になっており、これにより、載置されたセット２３に対して、照明方向を変えることで、セット２３への照明が変化すると共に、その発光した光はカバー２５及び開閉カバー２６で反射され、様々な模様を醸し出すことができるのである。
【００２４】
台座２２には、様々な操作釦が設けられており、図面の左側からライトＯＮ／ＯＦＦ３１、ライト色切り替え釦３２、リモコン受光部３３、電源スイッチ３４、電源ランプ３５を備え、背後に信号出力コード３６、電源コード３７を備えた構成になっている。
【００２５】
図１２に示すものは、セット２３の内部構成とクレイドルの内部構成を示したものであり、セットとしてデジタルスチルカメラ又はビデオカメラを想定しており、そのセットは、カメラ３８Ａ、メモリカード３９Ａ、テープ４０Ａ、表示装置４１Ａ、操作部４２Ａ、バッテリー４３Ａが装備され、それぞれがバス５０を介して信号の授受をする構成になっている。
カメラ３８Ａは、当該カメラ３８Ａで撮像した信号を処理する画像信号処理回路３８に接続され、この画像信号処理回路３８からの信号はインターフェース３９ａを介してバス５０上に供給される。メモリーカード３９Ａはカード用リーダライター３９で読み書きされ、そのデータはインターフェース３９ｂを介してバス５０上に供給される。テープ４０Ａからのデータは画像信号録音部４０で記録され、インターフェース３９ｃを介してバス５０上に供給される。表示装置４１Ａはモニタ駆動回路４１に接続されインターフェース３９ｄを介してバス５０に接続されている。操作部４２Ａは制御部４２に接続され、この制御部４２がバス５０に接続されている各要素の制御を行う。
バッテリー４３Ａは電源部４３に接続されインターフェース３９ｅを介してバス５０に接続されていると共に、充電端子部２７からの電源ラインに接続されている。
【００２６】
このような構成からなるライトアップ制御付きクレイドルは、充電端子部２７で接続するバス５０Ａを介して様々な機能が発揮できる構成になっている。実施例では、照明部３０、操作部４４、リモコン受光部３３、電源部４５、映像信号処理回路４６、信号処理回路４７がインターフェース４９ａ、４９ｂ、４９ｃを介してバス５０Ａに接続されている。
【００２７】
操作部４４は、図８に示すライトＯＮ／ＯＦＦ３１やライト色切り替え釦３２、電源スイッチ３４等から構成されており、制御部４８に接続され、この制御部４８はバス５０Ａを介して様々な制御を司る。又、この制御部４８は照明部３０を制御する構成になっている。電源コード３７は電源部４５に接続され、インターフェース４９ａを介してバス５０Ａに接続されている。信号出力コード３６は映像信号処理回路４６に接続され、インターフェース４９ｂを介してバス５０Ａに接続されている。信号処理回路４７はバス５０Ａに接続されている。
【００２８】
このような構成からなるクレイドルにおいて、先ず、開閉カバー２６を開けてセット２３であるデジタルカメラをセット載置部２４に載置すると、セット２３の充電接点が充電端子部２７に接触することで充電が開始すると共に、バス５０、５０Ａ同士が接続する。
そうすると、クレイドル側の操作部４４からの操作で制御部４８が駆動し、もし照明部３０への照明の明るさの制御であれば照明部３０を構成する発光部２９を制御する。
即ち、発光部２９から光が発光して、セット２３の周囲を下側方向から照射すると共に、開閉カバー２５で反射された光線が乱反射となり間接照明の効果も引き出すことができるのである。ここで、この発光部２９からの光の発光は、操作部４４を構成するライトＯＮ／ＯＦＦ３１がＯＮのときに、発光するもので、セット２３が載置していないときにライトＯＮ／ＯＦＦ３１がＯＮであれば自動的に発光するようにしてもよく、又、セット２３がセット載置部２４に載置されたときに発光するようにしてもよい。
更に、リモコン受光部３３からの受光データに基づいて、例えば、載置されているセットのテープ４０Ａを駆動させて、その映像信号をクレイドルの映像信号処理回路４６に送り、信号出力コード３６を介して、この信号出力コード３６が接続されているＴＶ（テレビジョン受像機）やＰＣ（パーソナルコンピュータ）に映像データを送ることで、充電しながら或いは充電が完了している状態でＴＶやＰＣに表示することもできる。
【００２９】
次に、本願発明に係るクレイドルの第４の実施形態について、図面を参照して、以下説明する。
【実施例４】
【００３０】
第４の実施形態のクレイドルは、ＣＤやビデオテープ用ラック型のクレイドルにすることで、複数のデジタルスチルカメラやビデオカメラ、携帯電話、ＭＤウォークマン等のモバイル機器を収納できるようになる。
この場合、例えばラック型クレイドル内の背面にＥＬ等面発光の光源を設置して、収納されたデジタルスチルカメラ等をライトアップすることができる。更に、ラック内に電源コンセントを配置することで携帯電話器等のモバイル機器をクレイドル毎に収納可能にすることができる。このようにして、複数のモバイル機器に対してライトアップ効果を発生させるクレイドルが実現するのである。
【００３１】
その具体的な構成は、図１３及び図１４に示すように、前面が開口した箱型形状のラックであり、２段の棚型に形成され、略中央位置に仕切り壁５１ａ、５１ｂを備え、左右上下の計４つのクレイドル５２ａ、５２ｂ、５２ｃ、５２ｄを備え、前面が透明なガラス等の開閉自在な窓５３から構成されている。クレイドルは、左上にビデオカメラ６２用のクレイドル５２ａ、左下にスチルカメラ６３用のクレイドル５２ｂ、右上にビデオカメラ６４用のクレイドル５２ｃ、右下に携帯電話器６５用のクレイドル５２ｄを設け、夫々のクレイドル５２ａ、５２ｂ、５２ｃ、５２ｄには充電用の充電端子部を設けた構造となっている。
そして、これらのクレイドル５２ａ、５２ｂ、５２ｃ、５２ｄの背面には面発光素子５３ａ、５３ｂを備えた構成になっており、これで、クレイドル５２ａ、５２ｂ、５２ｃ、５２ｄに載置したビデオカメラ６２、６４や携帯電話器６５を背面から照明する。
一方、ラックの前面下部位置には左位置からライトＯＮ／ＯＦＦ釦５４、ライト色切り替え釦５５、リモコン受光部５６、電源スイッチ５７、電源ランプ５８が備えられ、棚の内部の右側端部寄りの上下位置に電源コンセント５９ａ、５９ｂを備えた構成になっている。又、図示しないが、電源のＡＣアダプターは内蔵されており、電源を供給する電源コード６０、他の機器に接続する信号出力コード６１を備えた構造となっている。
左上のクレイドル５２ａには、ビデオカメラ６２で撮影したデータを蓄積するための記録メディア６６が格納されており、ビデオカメラ６２を充電中或いは充電完了した後に、ビデオカメラ６２で撮影した映像を蓄積することができる機能を備えている。又、この記録メディア６６は単に、その場所におくようにしてもよい。
【００３２】
このような構成のラック型のクレイドル５２ａ、５２ｂ、５２ｃ、５２ｄにおいては、ビデオカメラ６２、６４或いは、スチルカメラ６３、携帯電話器６５の充電をするときに、ラック内のクレイドル５２ａ、５２ｂ、５２ｃ、５２ｄに載置することで、自動的に充電がされ、このときに面発光素子５３ａ、５３ｂの発光により、充電中のカメラ６２、６３、６４や携帯電話器６５のライトアップがなされる。そして、制御部分については図示していないが、充電状態をこのライトアップの状態を変化させることで視認性を持たせることも可能で、或いは充電中或いは充電の完了したビデオカメラ６２をリモコンの操作により記録されているデータを記録メディア６６に録画したり、信号出力コード６１を外部機器に接続して、ビデオカメラで記録したものを外部機器に転送するという充電以外の機能も備えているのである。
【００３３】
次に、本願発明に係るクレイドルの第５の実施形態について、図面を参照して、以下説明する。
【実施例５】
【００３４】
第５の実施形態のクレイドルは、ＣＤやビデオテープ用ラック型のクレイドルにすることで、複数のデジタルスチルカメラやビデオカメラ、携帯電話器、ＭＤウォークマン等のモバイル機器を収納できるようになる。又、空いたスペースにはＤＶビデオテープ等の記録メディア等も収納可能である。
この場合、例えばラック型クレイドル内の背面にＥＬ等面発光の光源を設置して、収納されたデジタルスチルカメラ等をライトアップすることができる。また、カメラ機器のクレイドル端子からの脱着は、スライド式トレーを引き出すことでより操作性を向上できる。更に、ラック内に電源コンセントを配置することで携帯電話等のモバイル機器をクレイドル毎に収納可能にすることができる。このようにして、複数のモバイル機器に対してライトアップ効果を発生させるクレイドルが実現するのである。
【００３５】
その具体的な構成は、図１５及び図１６に示すように、前面が開口した箱型形状のラックであり、２段の棚型に形成され、略中央位置に仕切り壁５１ａ、５１ｂを備え、左右上下の計４つのクレイドル５２ａ、５２ｂ、５２ｃ、５２ｄを備え、前面が透明なガラス等の開閉自在な窓５３から構成されている。クレイドルは、左上に前方方向に動くトレー式のビデオカメラ６２用のクレイドル５２ａ、左下に前方方向に動くトレー式のスチルカメラ６３用のクレイドル５２ｂ、右上にビデオカメラ６４用のクレイドル５２ｃ、右下に携帯電話器６５用のクレイドル５２ｄを設け、夫々のクレイドル５２ａ、５２ｂ、５２ｃ、５２ｄには充電用の充電端子部６７ａ、６７ｂ及びガイド部６８ａ、６８ｂを設けた構造となっている。
そして、これらのクレイドル５２ａ、５２ｂ、５２ｃ、５２ｄの背面には面発光素子５３ａ、５３ｂを備えた構成になっており、これで、クレイドル５２ａ、５２ｂ、５２ｃ、５２ｄに載置したビデオカメラ６２、６４や携帯電話器６５を背面から照明する。
一方、ラックの前面下部位置には左位置からライトＯＮ／ＯＦＦ釦５４、ライト色切り替え釦５５、リモコン受光部５６、電源スイッチ５７、電源ランプ５８を備えた構成になっている。又、図示しないが、電源のＡＣアダプターは内蔵されており、電源を供給する電源コード６０、他の機器に接続する信号出力コード６１を備えた構造となっている。
左上のクレイドル５２ａには、ビデオカメラ６２で撮影したデータを蓄積するための記録メディア６６が格納されており、ビデオカメラ６２を充電中或いは充電完了した後に、ビデオカメラ６２で撮影した映像を蓄積することができる機能を備えている。
【００３６】
このような構成のラック型のクレイドル５２ａ、５２ｂ、５２ｃ、５２ｄにおいては、ビデオカメラ６２或いはスチルカメラ６３の充電をするときに、ラック内のクレイドル５２ａ、５２ｂを前方に引き出し、ビデオカメラ６２或いはスチルカメラ６３をガイド部６８ａ、６８ｂに合わせて載置することで、充電端子部６７ａ、６７ｂがカメラの充電用接点に接続して、充電が開始する。このときに面発光素子５３ａ、５３ｂの発光により、充電中のカメラ６２、６３、６４や携帯電話器６５のライトアップがなされる。そして、制御部分については図示していないが、充電状態をこのライトアップの状態を変化させることで視認性を持たせることも可能で、或いは充電中或いは充電の完了したビデオカメラ６２をリモコンの操作により記録されているデータを記録メディア６６に録画したり、信号出力コード６１を外部機器に接続して、ビデオカメラで記録したものを外部機器に転送するという充電以外の機能も備えているのである。
【産業上の利用可能性】
【００３７】
クレイドルに充電するカメラ本体を照明する照明手段を備えた構成にし、その照明も、充電状態によって照明の仕方に変化を与えるようにすることで、単に充電機能のみに使用していたクレイドルの多機能化を果たす構成にすることで使い勝手の良いクレイドルを提供することができる。
【図面の簡単な説明】
【００３８】
【図１】本発明に係る第１の実施形態のクレイドルの側面図である。
【図２】同、平面図である。
【図３】同、カメラを載置した状態の一部断面にした側面図である。
【図４】同、カメラを載置した状態の断面図である。
【図５】本発明に係る第２の実施形態のクレイドルの平面図である。
【図６】同、カメラを載置した状態の一部断面にした側面図である。
【図７】同、カメラを載置した状態の断面図である。
【図８】本発明に係る第３の実施形態のクレイドルにカメラを載置した状態を略示的に示した斜視図である。
【図９】同、カバーを開けた状態の斜視図である。
【図１０】同、カメラを載置しないでカバーを開けた状態を略示的に示した斜視図である。
【図１１】同、発光部の側面図である。
【図１２】同、カメラとクレイドルとの接続関係とその構成を示したブロック図である。
【図１３】本発明に係る第４の実施形態のラック型のクレイドルにカメラや携帯電話器を載置した状態を略示的に示した斜視図である。
【図１４】同、正面からみた説明図である。
【図１５】本発明に係る第５の実施形態のラック型のクレイドルにカメラや携帯電話器を載置した状態を略示的に示した斜視図である。
【図１６】同、トレー形式のクレイドルを引き出した状態の斜視図である。
【符号の説明】
【００３９】
１１；ベース部、１１Ａ；ベース部、１２；デジタルカメラ、１２Ａ；デジタルカメラ、１３；セット載置部、１３Ａ；セット載置部、１４；充電端子部、１４Ａ；充電端子部、１５；ガイド部、１５Ａ；ガイド部、１６；照明部、１６Ａ；照明部、１７；導光管、１７Ａ；導光管、１８；発光部、１８Ａ；発光部、２１；ベース部、２２；台座、２３；セット、２４；セット載置部、２５；カバー、２６；開閉カバー、２７；充電端子部、２８；ガイド部、２９；発光部、３０；照明部、３１；ライトＯＮ／ＯＦＦ、３２；ライト色切り替え釦、３３；リモコン受光部、３４；電源スイッチ、３５；電源ランプ、３６；信号出力コード、３７；電源コード、３８；画像信号処理回路、３８Ａ；カメラ、３９ａ；インターフェース、３９ｂ；インターフェース、３９ｃ；インターフェース、３９ｄ；インターフェース、３９ｅ；インターフェース、４０；画像信号録音部、４０Ａ；テープ、４１；モニタ駆動回路、４１Ａ；表示装置、４２；制御部、４２Ａ；操作部、４３；電源部、４３Ａ；バッテリー、４４；操作部、４５；電源部、４６；映像信号処理回路、４７；信号処理回路、４８；制御部、４９ａ；インターフェース、４９ｂ；インターフェース、４９ｃ；インターフェース、５０；バス、５０Ａ；バス、５１ａ；仕切り壁、５１ｂ；仕切り壁、５２ａ；クレイドル、５２ｂ；クレイドル、５２ｃ；クレイドル、５２ｄ；クレイドル、５３；窓、５３ａ；面発光素子、５３ｂ；面発光素子、５４；ライトＯＮ／ＯＦＦ釦、５５；ライト色切替釦、５６；リモコン受光部、５７；電源スイッチ、５８；電源ランプ、５９ａ；電源コンセント、５９ｂ；電源コンセント、６０；電源コード、６１；信号出力コード、６２；ビデオカメラ、６３；スチルカメラ、６４；ビデオカメラ、６５；携帯電話器、６６；記録メディア、６７ａ；充電端子部、６７ｂ；充電端子部、６８ａ；ガイド部、６８ｂ；ガイド部。
【図１】
2005151710.tif 000003
【図２】
2005151710.tif 000004
【図３】
2005151710.tif 000005
【図４】
2005151710.tif 000006
【図５】
2005151710.tif 000007
【図６】
2005151710.tif 000008
【図７】
2005151710.tif 000009
【図８】
2005151710.tif 000010
【図９】
2005151710.tif 000011
【図１０】
2005151710.tif 000012
【図１１】
2005151710.tif 000013
【図１２】
2005151710.tif 000014
【図１３】
2005151710.tif 000015
【図１４】
2005151710.tif 000016
【図１５】
2005151710.tif 000017
【図１６】
2005151710.tif 000018